(57)【要約】【課題】チャプター（ＣＨＰ）を選択する。【解決手段】少なくとも１以上の単位データからなる単位データ群を形成する単位データ群形成部と、単位データのサムネイル画像を生成するサムネイル画像生成部と、単位データ群を形成している各単位データにリンクするための単位データリンク情報を生成するリンク情報生成部と、単位データ群と単位データリンク情報とからなるデータ群を生成するデータ群生成部と、少なくとも１以上のデータ群が記録されている光ディスクを、他の再生装置で読み出し可能とするためのクローズドセッション処理を行なうクローズドセッション処理部とを備え、クローズドセッション処理部は、単位データに基づきサムネイル画像を含むメニュー画像を生成し、かつ当該メニュー画像にリンクするためのメニュー画像リンク情報を生成し、メニュー画像とメニュー画像リンク情報とを光ディスクに記録する。【選択図】  図１
2004213706.tif 000002
【特許請求の範囲】
【請求項１】
所定のフォーマットにしたがって所定の再生単位に区切ったデータ（以下、単位データという。）を光ディスクに記録する光ディスク記録装置であって、
少なくとも１以上の上記単位データからなる単位データ群を形成する単位データ群形成手段と、
当該単位データのサムネイル画像を生成するサムネイル画像生成手段と、
上記単位データ群を形成している各単位データにリンクするための単位データリンク情報を生成するリンク情報生成手段と、
上記単位データ群と上記単位データリンク情報とからなるデータ群を生成するデータ群生成手段と、
少なくとも１以上の上記データ群が記録されている光ディスクを、他の再生装置で読み出し可能とするためのクローズドセッション処理を行なうクローズドセッション処理手段とを備え、
上記クローズドセッション処理手段は、上記単位データに基づき上記サムネイル画像を含むメニュー画像を生成し、かつ当該メニュー画像にリンクするためのメニュー画像リンク情報を生成し、上記メニュー画像と上記メニュー画像リンク情報とを上記光ディスクに記録することを特徴とする光ディスク記録装置。
【請求項２】
上記フォーマットは、ＤＶＤ−ビデオフォーマットであり、上記単位データは、チャプター（ＣＨＰ）であり、上記単位データ群は、ＶＴＳＴＴ＿ＶＯＢＳであり、上記単位データリンク情報は、ＶＴＳＭ＿ＰＧＣＩに含まれている１情報であり、上記データ群は、ＶＴＳであることを特徴とする請求項１記載の光ディスク記録装置。
【請求項３】
上記メニュー画像は、少なくとも１以上サムネイル画像が含まれていることを特徴とする請求項１記載の光ディスク記録装置。
【請求項４】
上記サムネイル画像生成手段により生成されるサムネイル画像を記憶する記憶手段をさらに備え、
上記クローズドセッション処理手段は、メニュー画像を生成する際に、上記記憶媒体に記憶されているサムネイル画像を利用することを特徴とする請求項１記載の光ディスク記録装置。
【請求項５】
上記記憶手段は、フラッシュメモリであること
を特徴とする請求項４記載の光ディスク記録装置。
【請求項６】
上記光ディスクは、ＤＶＤ−Ｒ又はＤＶＤ−ＲＷであることを特徴とする請求項１記載の光ディスク記録装置。
【請求項７】
所定のフォーマットにしたがって所定の再生単位に区切ったデータ（以下、単位データという。）を光ディスクに記録する光ディスク記録方法であって、
少なくとも１以上の上記単位データからなる単位データ群を形成する単位データ群形成工程と、
上記光ディスクに単位データが記録されるたびに、当該単位データのサムネイル画像を生成するサムネイル画像生成工程と、
上記単位データ群を形成している各単位データにリンクするための単位データリンク情報を生成するリンク情報生成工程と、
上記単位データ群と上記単位データリンク情報とからなるデータ群を生成するデータ群生成工程と、
少なくとも１以上の上記データ群が記録されている光ディスクを、他の再生装置で読み出し可能とするためのクローズドセッション処理を行なうクローズドセッション処理工程とを有し、
上記クローズドセッション処理工程は、上記単位データに基づき上記サムネイル画像を含むメニュー画像を生成し、かつ当該メニュー画像にリンクするためのメニュー画像リンク情報を生成し、上記メニュー画像と上記メニュー画像リンク情報とを上記光ディスクに記録することを特徴とする光ディスク記録方法。
【発明の詳細な説明】
【０００１】
【発明の属する技術分野】
本発明は、ＤＶＤ−Ｒ(DVD-Recordable)又はＤＶＤ−ＲＷ（DVD-Rewritable）等のデータの記録再生が可能な光ディスクにデータを記録する光ディスク記録装置及び方法に関する。
【０００２】
【従来の技術】
現在、大容量型光ディスクのひとつであるＤＶＤ（Digital Versatile Disc）において、データの記録が可能なＤＶＤ−Ｒ(DVD-Recordable)と、記録したデータの書き換えが可能なＤＶＤ−ＲＷ(DVD-Rewritable)及びＤＶＤ−ＲＡＭ(DVD-Random Access Memory)等が提供されている。ＤＶＤ−Ｒ又はＤＶＤ−ＲＷ等で記録したデータは、ＤＶＤ−ビデオフォーマットにのみ対応する再生装置及びＰＣ（パーソナルコンピュータ）等ではフォーマットが不適合なために再生をすることができない。上記再生装置及びＰＣ等でＤＶＤ−Ｒ又はＤＶＤ−ＲＷ等（以下、ＤＶＤ−Ｒ／−ＲＷという。）に記録したデータを再生するためには、ＤＶＤ−Ｒ／−ＲＷに記録したデータをＤＶＤ−ビデオフォーマットに準拠した所定のフォーマットに変換する必要がある。なお、ＰＣ等でＤＶＤ−Ｒ／−ＲＷに記録したデータを再生するためには、ＤＶＤ−Ｒ／−ＲＷに記録したデータをユニバーサルディスクフォーマット(UDF、Universal Disk Format)の規格に適合させる必要がある。
【０００３】
図９は、データをＤＶＤ−ビデオフォーマットに準拠した論理フォーマットで記録した光ディスクのデータ構造を示す図である。ＤＶＤ−ビデオフォーマットに対応した光ディスクは、図９（Ａ）に示すように、情報記録面が、先頭側である最内側よりリードイン(Lead in)、データゾーン(Data Zone)及びリードアウト(Lead out)に区切られている。上記データゾーンには、所望の実データが記録される。
【０００４】
ここでデータゾーンは、リードイン側より、ＵＤＦブリッジ構成が記述されたファイルシステムエリアであるＵＤＦ(Universal Disk Format)領域Ａ１、ＤＶＤ管理情報エリアであるＶＭＧ(Video Manager)領域Ａ２及びリアルタイムデータ記録エリアＡ３に区分される。ＵＤＦ領域Ａ１及びＶＭＧ領域Ａ２は、リアルタイムデータ記録エリアＡ３に記録されたビデオデータを管理する情報を記録するための領域である。また、ＵＤＦ領域Ａ１は、第１の管理情報領域と呼ばれ、ＶＭＧ領域Ａ２は、第２の管理情報領域と呼ばれている。第２の管理情報領域であるＶＭＧ領域Ａ２は、ＤＶＤ−ビデオフォーマットに固有のファイル管理システムに対応する領域であり、リアルタイムデータ記録エリアＡ３に記録されたビデオデータ全体を管理する情報であるＴＯＣ（Table Of Contents）の情報が記録される。これに対して第１の管理情報領域であるＵＤＦ領域Ａ１は、ＰＣ等によるファイル管理システムに対応する領域であり、ＰＣ等におけるファイルシステムとの互換性を図るためのＵＤＦ等のフォーマットによりリアルタイムデータ記録エリアＡ３に記録されたビデオデータ全体を管理する情報が記録される。
【０００５】
リアルタイムデータ記録エリアＡ３は、動画等の実データを記録するユーザーエリアであり、図９（Ｂ）に示すように、ＶＴＳ(Video Title Set)を単位にして、動画が記録される。ＶＴＳはタイトルと呼ばれており、最大で９９個まで設けることができるようになされている。このＶＴＳは、図９（Ｃ）に示すように、先頭側よりＶＴＳＩ(Video Title Set information)、ＶＴＳＭ＿ＶＯＢＳ(Video Object Set for the VTSM)、ＶＴＳＴＴ＿ＶＯＢＳ(Video Object Set For Titles in a VTS)及びＶＴＳＩ＿ＢＵＰ(Backup of VTSI)により構成される。
【０００６】
ＶＴＳＴＴ＿ＶＯＢＳには、実データであるＭＰＥＧ（Moving Picture Experts Group）２のフォーマットによるビデオデータが記録され、ＶＴＳＩには、この実データによるビデオデータを管理する情報である記録位置情報等が記録され、ＶＴＳＭ＿ＶＯＢＳには、ビデオデータのタイトルメニューが記録される。なおＶＴＳＭ＿ＶＯＢＳは、オプションである。ＶＴＳＩ＿ＢＵＰは、ＶＴＳＩのバックアップ用のデータが記録される領域である。また、ＶＴＳＴＴ＿ＶＯＢＳは、所定量ごとのパケット化されたデータにより形成されており、例えば、記録するデータが動画の場合には、図９（Ｄ）に示すように、チャプター（ＣＨＰ）を再生単位として、複数のチャプター（ＣＨＰ）により構成されている。
【０００７】
上述したデータ構造を有する光ディスクをＰＣ等によりアクセスする場合、ＵＤＦ領域Ａ１により所望するファイルを検索して再生することができるようになされ、ＤＶＤプレイヤーにより再生する場合には、ＶＭＧ領域Ａ２により所望するファイルを検索して再生することができるようになされている。
【０００８】
このような光ディスクに動画を書き込む記録方式としては、Incremental Recording方式（以下、ＩＮＣ方式という。）又はRestricted Over Write方式（以下、ＲＯＷ方式という。）がある。ＩＮＣ方式は、主にＤＶＤ−Ｒ等に採用されており、シーケンシャルに動画を記録する方式であり、ＲＯＷ方式は、主にＤＶＤ−ＲＷ等に採用されており、ランダムに動画を記録する方式である。但し、ＲＯＷ方式においても、未記録領域にデータを記録する場合には、シーケンシャルに動画を記録する必要がある。これらＩＮＣ方式及びＲＯＷ方式においては、リードインよりも内周側に設けられたＲＭＡ(Recording Management Area)により、リザーブ等の光ディスクヘの処理が管理されるようになされている。
【０００９】
ＩＮＣ方式による記録手順を図１０に示す。ＩＮＣ方式においては、一度に書き込むエリアは最大３つまでと定義されており、このエリアをそれぞれＲzoneと呼び、各ＲzoneをＲＭＡで管理する。
【００１０】
すなわち、動画を記録する場合、ＩＮＣ方式においては、図１０（Ａ）に示すように、始めにＲzoneをリザーブする。ここで、Ｒzoneのリザーブは、管理情報を記録する領域であるＵＤＦ領域Ａ１及びＶＭＧ領域Ａ２を形成するＲzone１の領域を定義し、続いてリアルタイムデータ記録エリアＡ３を形成する未記録領域に、先頭のＶＴＳのＶＴＳＩ及びＶＴＳＭ＿ＶＯＢＳを形成するＲzone２の領域を定義し、残る未記録領域をInvisible Ｒzone（Ｒzone３）の領域と定義して実行される。ＩＮＣ方式では、このＲzone１及びＲzone２のリザーブにより、管理情報を記録する領域を確保し、また、先頭のＶＴＳのＶＴＳＩ及びＶＴＳＭ＿ＶＯＢＳを形成する領域を確保するようになされている。
【００１１】
ＩＮＣ方式においては、Invisible Ｒzoneの先頭側より順次動画を記録することにより、実データによるＶＴＳＴＴ＿ＶＯＢＳを形成する。さらにユーザーの指示により、１つのＶＴＳについて実データの記録が完了すると、図１０（Ｂ）に示すように、この実データの記録に続いてＶＴＳＩ＿ＢＵＰを記録し、また、図１０（Ｃ）に示すように、先頭側に戻ってＲzone２にＶＴＳＩ及びＶＴＳＭ＿ＶＯＢＳを形成し、Ｒzone２を閉じる。これによりＩＮＣ方式においては、１つのＶＴＳを光ディスクに記録する。
【００１２】
また、続けて次のＶＴＳを記録する場合、ＩＮＣ方式においては、図１０（Ｄ）に示すように、残りの未記録領域にＲzone３をリザーブしてＶＴＳＩ及びＶＴＳＭ＿ＶＯＢＳの領域を確保し、Invisible Ｒzoneを定義する。さらに続いて、図１０（Ｅ）に示すように、実データの記録によりＶＴＳＴＴ＿ＶＯＢＳを形成した後、ＶＴＳＩ＿ＢＵＰを形成し、図１０（Ｆ）に示すように、先に確保した領域にＶＴＳＩ及びＶＴＳＭ＿ＶＯＢＳを形成する。これにより光ディスクでは、図１０（Ｇ）に示すように、続くＶＴＳが記録される。ＩＮＣ方式においては、引き続きＶＴＳを記録する場合、同様に未記録領域を定義して順次ＶＴＳが記録される。
【００１３】
ところで、上記ＩＮＣ方式でＶＴＳが順次記録され、リアルタイムデータ記録エリアＡ３が形成された光ディスクは、クローズドセッション処理等（以下、ファイナライズ処理という。）によるフォーマット変換を行なわなければ、ＤＶＤ−ビデオフォーマットにのみ対応する再生装置等で再生することができない。ここで、図１０（Ｈ）を用いて、ファイナライズ処理について説明する。
【００１４】
例えば、光ディスクは、図１０（Ｈ）に示すように、ファイナライズ処理によりＲzone１にＵＤＦ領域Ａ１及びＶＭＧ領域Ａ２が形成され、最内周にリードイン（Lead In）が形成され、最外周にリードアウト（Lead Out）が形成される。このファイナライズ処理により再生専用の光ディスクとの互換性を図ることができる。なお、このＵＤＦ領域Ａ１及びＶＭＧ領域Ａ２の形成においては、各ＶＴＳのＶＴＳＩ及びＶＴＳＭ＿ＶＯＢＳのデータより、ＵＤＦ領域Ａ１及びＶＭＧ領域Ａ２に記録するデータを生成し、このデータをＲzone１に記録してＲzone１を閉じる作業が行われる。
【００１５】
次に、ＲＯＷ方式による記録手順を図１１に示す。ＲＯＷ方式においては、図１１（Ａ）に示すように、リードイン、ＵＤＦ領域、ＶＭＧ領域、先頭ＶＴＳのＶＴＳＩ及びＶＴＳＭ＿ＶＯＢＳの記録領域をパディング（Padding）により事前に確保する。ここでパディングとは、ＮＵＬＬ等のダミーデータを記録して領域を確保する処理のことである。
【００１６】
このようにしてこれらの領域を確保すると、ＲＯＷ方式においては、図１１（Ｂ）に示すように、順次画像を記録することにより、実データによるＶＴＳＴＴ＿ＶＯＢＳが形成され、１つのＶＴＳについて実データの記録が完了すると、続いてＶＴＳＩ＿ＢＵＰが記録され、さらに続くＶＴＳのＶＴＳＩ及びＶＴＳＭ＿ＶＯＢＳの記録領域の確保のために、パディングの処理が実行される。また、続いて先頭側に戻って、図１１（Ｃ）に示すように、この実データの記録に対応するＶＴＳＩ及びＶＴＳＭ＿ＶＯＢＳが形成される。このようにしてＲＯＷ方式においては、１つのＶＴＳが光ディスクに記録される。
【００１７】
また、続けて次のＶＴＳを記録する場合、ＲＯＷ方式においては、図１１（Ｄ）に示すように、直前のＶＴＳにより形成したパディングの領域に続いて、実データが記録されることによりＶＴＳＴＴ＿ＶＯＢＳ及びＶＴＳＩ＿ＢＵＰが形成され、続くＶＴＳのＶＴＳＩ及びＶＴＳＭ＿ＶＯＢＳの記録領域の確保のために、パディングの処理が実行される。また、続いて、図１１（Ｅ）に示すように、ＶＴＳＩ及びＶＴＳＭ＿ＶＯＢＳが形成され、これにより、図１１（Ｆ）に示すように、続くＶＴＳが光ディスクに記録される。ＲＯＷ方式においては、引き続きＶＴＳを記録する場合、同様にパディング等の処理が実行されて順次ＶＴＳが記録される。
【００１８】
ところで、上記ＲＯＷ方式でＶＴＳが順次記録され、リアルタイムデータ記録エリアＡ３が形成された光ディスクは、ＩＮＣ方式と同様にファイナライズ処理等によるフォーマット変換を行なわなければ、ＤＶＤ−ビデオフォーマットにのみ対応する再生装置等で再生することができない。ここで、図１１（Ｇ）を用いて、ファイナライズ処理について説明する。
【００１９】
例えば、光ディスクは、図１１（Ｇ）に示すように、ファイナライズ処理によりパディングした領域にＵＤＦ領域及びＶＭＧ領域が形成され、最内周にリードイン（Lead In）が形成され、最外周にリードアウト（Lead Out）が形成される。このファイナライズ処理により再生専用の光ディスクとの互換性を図ることができる。
【００２０】
ここで、ファイナライズ処理により記録される図１０（Ｈ）及び図１１（Ｇ）における、ＶＭＧのデータ構造を図１２に示す。なお図１２は、各タイトル（各ＶＴＳ）を選択するメニュー（以下、メイン・メニューという。）情報のデータ構造である。
【００２１】
ＶＭＧは、ＶＭＧＩ（Video Manager Information）とＶＭＧＭ＿ＶＯＢＳ（Video Object Set for the VMG menu）とにより構成されている。ＶＭＧＩには、メニュー・ページ間およびメイン・メニューから選択された場合に有効となる各ＶＴＳメニューへのリンク情報であるＶＭＧＭ＿ＰＧＣＩ（VMG Menu Program Chain Information）群が記録されている。ＶＭＧＭ＿ＶＯＢＳは、それぞれがメイン・メニュー画面の各ページに対応した複数のＣＥＬＬから構成されている。また、ＣＥＬＬには、メニュー画面の背景、メニュータイトル、各ＶＴＳの代表画像から作成したサムネイル（以下、ＶＴＳサムネイルという。）、前ページ・ボタン、次ページ・ボタンの画像等がＭＰＥＧ（Motion Picture Experts Group）で記録されている。また、ＣＥＬＬには、ＰＣＩとＤＳＩからなるＮＶ＿ＰＣＫが存在し、ＰＣＩ内にはＨＬＩ（Highlight Information）が存在する。ＨＬＩには、ＶＴＳサムネイル位置、ボタン位置、ハイライト色、４方向ボタンが押された場合のハイライト移動等の情報が記録されている。
【００２２】
このような構造を有するＶＭＧを適切に記録することにより、例えば、図１３に示すようなメイン・メニュー画面が実現できる。メニュー・キーによってメニュー画面を呼び出し、４方向キーでハイライトを移動する。４方向キーの真中の実行キーによって、１のＶＴＳサムネイルを選択し、後述するＶＴＳメニューを呼び出したり、メニュー・ページの切換えを行うことができる。また、次ページボタンを選択すると次のメイン・メニューに移動し、前ページボタンを選択すると１つ前のメイン・メニューに移動する。なお、図１３では、１つのメイン・メニューに６つのＶＴＳサムネイルを表示しているが、これ以外でも良い。
【００２３】
つぎに、ＶＴＳを閉じる際に記録される図１０（Ｃ）及び図１１（Ｃ）における、ＶＴＳのデータ構造を図１４に示す。なお図１４は、ＶＴＳに含まれいている各ＣＨＰを選択するメニュー（以下、ＶＴＳメニューという。）情報のデータ構造である。
【００２４】
ＶＴＳは、ＶＴＳＩ、ＶＴＳＭ＿ＶＯＢＳ、ＶＴＳＴＴ＿ＶＯＢＳ及びＶＴＳＩ＿ＢＵＰにより構成されている。ＶＴＳＩ内には、メニュー・ページ間およびＶＴＳメニューから選択された場合に有効となる各ＣＨＰへのリンク情報であるＶＴＳＭ＿ＰＧＣＩ（VTS Menu Program Chain Information）群が記録されている。ＶＴＳＭ＿ＶＯＢＳは、それぞれがＶＴＳメニュー画面の各ページに対応した複数のＣＥＬＬから構成される。ＣＥＬＬには、メニュー画面の背景、メニュータイトル、後述する各チャプター（ＣＨＰ）の代表画像から作成したサムネイル（以下、ＣＨＰサムネイルという。）、前ページ・ボタン、次ページ・ボタンの画像等がＭＰＥＧで記録されている。また、ＣＥＬＬには、ＰＣＩとＤＳＩからなるＮＶ＿ＰＣＫが存在し、ＰＣＩ内にはＨＬＩ（Highlight Information）が存在する。ＨＬＩには、ＣＨＰサムネイル位置、ボタン位置、ハイライト色、４方向ボタンが押された場合のハイライト移動等の情報が記録されている。
【００２５】
このような構造を有するＶＴＳを適切に記録することにより、例えば、図１５に示すようなＶＴＳメニュー画面が実現できる。上述したように、メイン・メニューからＶＴＳメニューを選択し、図１５に示すＶＴＳメニュー画面を呼び出す。そして、呼び出したＶＴＳメニュー画面上において、４方向キーでハイライトを移動し、４方向キー真中の実行キーによって、１のＣＨＰサムネイルを選択し、選択したチャプター（ＣＨＰ）の再生表示やメニュー・ページの切換えを行うことができる。また、次ページボタンを選択すると次のＶＴＳメニューに移動し、前ページボタンを選択すると１つ前のＶＴＳメニューに移動する。なお、図１５では、１つのＶＴＳメニューに６つのＣＨＰサムネイルを表示しているが、これ以外でも良い（特許文献１参照）。
【００２６】
【特許文献１】
特許第２８７５２３１号
【００２７】
【発明が解決しようとする課題】
ところで、上述したようにＤＶＤ−ビデオフォーマットでは、光ディスクに記録できるタイトル（ＶＴＳ）の数は、最大９９個という制限がある。そのため、１シーン／１タイトルでＤＶＤ−ビデオフォーマットに準拠した記録を行なうと、光ディスク１枚に９９シーンまでしか記録できなくなってしまう。例えば、１シーンを５〜６秒で記録したと仮定すると、約８分程度しか一枚のディスクに記録することができなくなってしまう。
【００２８】
なお、ＤＶＤ−ビデオフォーマットでは、１タイトルを９９のシーン（チャプター（ＣＨＰ））に分割できることが規定されているので、例えば、１シーン／１チャプターによりデータの記録を行なうと、光ディスク一枚に９９×９９＝９８０１シーンの記録が可能となる。
【００２９】
また、ＤＶＤ−ビデオフォーマットでは、図１３及び図１５に示したように、ユーザの意思にかかわらず２階層でメニューが作成され、シーン（ＣＨＰ）が複数のＶＴＳメニューに分割されてしまうため、ユーザが所望するシーン（ＣＨＰ）を選択するまでに、まず、図１３に示すメイン・メニューでＶＴＳサムネイルを選択し、ＶＴＳメニューを呼び出し、次に、図１５に示す呼び出したＶＴＳメニューから所望するＣＨＰを選択する必要がある。
【００３０】
そこで、本発明の目的は、上述したＤＶＤ−ビデオフォーマットに準拠しつつ、１シーン／１チャプターによるデータ記録を採用し、かつ、メイン・メニューから直接各ＣＨＰへリンクすることを可能とする光ディスク記録装置及び方法を提供することにある。
【００３１】
【課題を解決するための手段】
本発明に係る光ディスク記録装置は、上述の課題を解決するために、所定のフォーマットにしたがって所定の再生単位に区切ったデータ（以下、単位データという。）を光ディスクに記録する光ディスク記録装置であって、少なくとも１以上の上記単位データからなる単位データ群を形成する単位データ群形成手段と、当該単位データのサムネイル画像を生成するサムネイル画像生成手段と、上記単位データ群を形成している各単位データにリンクするための単位データリンク情報を生成するリンク情報生成手段と、上記単位データ群と上記単位データリンク情報とからなるデータ群を生成するデータ群生成手段と、少なくとも１以上の上記データ群が記録されている光ディスクを、他の再生装置で読み出し可能とするためのクローズドセッション処理を行なうクローズドセッション処理手段とを備え、上記クローズドセッション処理手段は、上記単位データに基づき上記サムネイル画像を含むメニュー画像を生成し、かつ当該メニュー画像にリンクするためのメニュー画像リンク情報を生成し、上記メニュー画像と上記メニュー画像リンク情報とを上記光ディスクに記録する。
【００３２】
本発明に係る光ディスク記録方法は、上述の課題を解決するために、所定のフォーマットにしたがって所定の再生単位に区切ったデータ（以下、単位データという。）を光ディスクに記録する光ディスク記録方法であって、少なくとも１以上の上記単位データからなる単位データ群を形成する単位データ群形成工程と、上記光ディスクに単位データが記録されるたびに、当該単位データのサムネイル画像を生成するサムネイル画像生成工程と、上記単位データ群を形成している各単位データにリンクするための単位データリンク情報を生成するリンク情報生成工程と、上記単位データ群と上記単位データリンク情報とからなるデータ群を生成するデータ群生成工程と、少なくとも１以上の上記データ群が記録されている光ディスクを、他の再生装置で読み出し可能とするためのクローズドセッション処理を行なうクローズドセッション処理工程とを有し、上記クローズドセッション処理工程は、上記単位データに基づき上記サムネイル画像を含むメニュー画像を生成し、かつ当該メニュー画像にリンクするためのメニュー画像リンク情報を生成し、上記メニュー画像と上記メニュー画像リンク情報とを上記光ディスクに記録する。
【００３３】
【発明の実施の形態】
以下、本発明の実施の形態について図面を参照しながら詳細に説明する。
【００３４】
本発明は、例えば図１に示すような構成の光ディスク記録／再生装置１００に適用される。
【００３５】
この光ディスク記録／再生装置１００は、携帯型のカメラ一体型ビデオレコーダであり、ＤＶＤ−Ｒ(DVD-Recordable)又はＤＶＤ−ＲＷ（DVD-Rewritable）等の光ディスク１に撮像結果を記録するようにしたものである。なお、ＤＶＤ−Ｒ(DVD-Recordable)は、ＩＮＣ方式により、ＤＶＤ−ＲＷ（DVD-Rewritable）は、ＲＯＷ方式により撮像結果が記録される。
【００３６】
この光ディスク記録／再生装置１００は、映像信号が入力される映像入力部２と、オーディオ信号が入力されるオーディオ入力部３と、映像入力部２から供給された映像信号及びオーディオ入力部３から供給されたオーディオ信号に圧縮処理（記録時）及び伸長処理（再生時）を行なう圧縮／伸長処理部４と、圧縮／伸長処理部４から出力される所定のデータを記憶するランダムアクセスメモリ（ＲＡＭ）５と、圧縮／伸長処理部４により圧縮処理されたデータにヘッダー情報等を付加し（記録時）、ＤＶＤ信号処理部９から供給されたデータのヘッダー情報等を分離する（再生時）ヘッダー情報処理部６と、ユーザの操作に応じて所定の信号を出力する操作部８と、ＤＶＤ−ビデオフォーマットに基づいて、ヘッダー情報処理部６から供給されたデータに所定の変換処理を行なうＤＶＤ信号処理部９と、所定のデータを記憶するＲＡＭ１０と、管理情報等を記憶する不揮発性のフラッシュメモリ１１と、光学ヘッド４の光量を制御するアナログフロントエンド部１２と、光ディスク１にレーザビームを照射する光学ヘッド１３と、光ディスク１を回転させるスピンドルモータ１５と、光学ヘッド１３をスレッドさせるスレッドモータ１６と、光学ヘッド１３と、スピンドルモータ１５と、スレッドモータ１６を制御するモータ駆動制御部１４と、データのモニタを行なうモニタ部１７と、ビデオデータ及びオーディオデータを所定のフォーマットに変換し、外部機器に出力するビデオ／オーディオエンコーダ１８と、圧縮／伸長処理部４と、ヘッダー情報処理部６と、ＤＶＤ信号処理部９と、アナログフロントエンド部１２と、ビデオ／オーディオエンコーダ１８を制御するシステムコントローラ７とを備える。
【００３７】
また、圧縮／伸長処理部４は、映像入力部２から入力されたビデオデータを圧縮処理するビデオ処理部４ａと、オーディオ入力部３から入力されたオーディオ信号を圧縮処理するオーディオ処理部４ｂと、ビデオ処理部４ａとオーディオ処理部４ｂとが接続されており、圧縮されたビデオデータ及び圧縮されたオーディオデータを時分割多重化してヘッダー情報処理部６に出力する多重化処理部４ｃとを備えている。
【００３８】
このような光ディスク記録／再生装置１００において、映像入力部２は、図示しない撮像手段より得られる撮像結果である映像信号、又は、外部機器から入力される映像信号をディジタル信号に変換することによりビデオデータを生成して、圧縮／伸長処理部４、モニタ部１７及びビデオ／オーディオエンコーダ１８に供給する。なお、図示しない内蔵されている撮像手段は、システムコントローラ７による制御により、動画による撮像結果を出力するようになされ、これにより、この映像入力部２は、システムコントローラ７による撮像手段の制御に応じて、動画によるビデオデータを入力するようになされている。
【００３９】
オーディオ入力部３は、マイクロフォンで取得される音声信号、又は外部入力による音声信号をディジタル信号に変換することによりオーディオデータを生成して、圧縮／伸長処理部４、モニタ部１７及びビデオ／オーディオエンコーダ１８に供給する。
【００４０】
圧縮／伸長処理部４は、システムコントローラ７の制御により動作が切り換えられ、記録時には、ＲＡＭ５を用いて、ビデオデータ及びオーディオデータをデータ圧縮して多重化処理し、ヘッダー情報処理部６に出力する。また、再生時、ＲＡＭ５を用いて、ヘッダー情報処理部６より得られるデータをビデオデータ及びオーディオデータに分離した後、それぞれデータ伸長してモニタ部１７及びビデオ／オーディオエンコーダ１８に出力する。
【００４１】
すなわち圧縮／伸長処理部４において、ビデオ処理部４ａは、システムコントローラ７の制御により、記録時に、映像入力部２から出力されるビデオデータをデータ圧縮して出力する。このときビデオデータが動画の場合、ＭＰＥＧ２のフォーマットによりデータ圧縮する。また、ビデオ処理部４ａは、再生時に、多重化処理部４ｃから出力されるビデオデータをそのデータ圧縮フォーマットに対応してデータ伸長して出力する。また、オーディオ処理部４ｂは、記録時に、オーディオ入力部３から入力されるオーディオデータをＭＰＥＧ、ドルビーオーディオ、又はリニアＰＣＭ等のフォーマットによりデータ圧縮して出力する。また、再生時には、多重化処理部４ｃから得られるオーディオデータをデータ伸長して出力する。さらに、多重化処理部４ｃは、記録時に、ビデオ処理部４ａから出力されるビデオデータ、オーディオ処理部４ｂから出力されるオーディオデータを時分割多重化してヘッダー情報処理部６に出力する。また、再生時には、ヘッダー情報処理部６から出力される時分割多重化データよりビデオデータ及びオーディオデータを分離し、それぞれビデオ処理部４ａ及びオーディオ処理部４ｂに出力する。
【００４２】
ヘッダー情報処理部６は、記録時に、圧縮／伸長処理部４から出力される時分割多重化データを受け、システムコントローラ７の制御により、ＤＶＤに固有のヘッダー情報や拡張ファイルのヘッダー情報等を付加して出力する。また、システムコントローラ７からの情報により、ＵＤＦ、ＶＭＧ及びＶＴＳＩ等のデータを生成してＤＶＤ信号処理部９に出力する。また、ヘッダー情報処理部６は、再生時には、ＤＶＤ信号処理部９の出力データから、記録時に付加したヘッダー情報を分離して圧縮／伸長処理部４に出力する。さらに、ヘッダー情報処理部６は、この分離したヘッダー情報をシステムコントローラ７に通知する。なお、拡張ファイルとは、この光ディスク１について規格化されたフォーマットであるＤＶＤ−ビデオフォーマットで定義されていないファイルであり、この拡張ファイルには例えば、静止画のファイルを適用しても良い。
【００４３】
ＤＶＤ信号処理部９は、記録時に、ＲＡＭ１０を用いて、ヘッダー情報処理部６の出力データよりエラー訂正符号を生成し、このエラー訂正符号をこの出力データに付加する。また、スクランブル処理及び８／１５変調等の処理を実行し、その処理結果によるデータ列をシリアルデータ列によりアナログフロントエンド部１２に出力する。また、ＤＶＤ信号処理部９は、ＲＡＭ１０に記憶した再生管理情報を読み出し、読み出した再生管理情報をフラッシュメモリ１１に記憶する。なお、フラッシュメモリ１１は、不揮発であれば他の記憶媒体でも良い。
【００４４】
また、ＤＶＤ信号処理部９は、再生時には、上述した記録動作とは逆に、アナログフロントエンド部１２の出力データを復号処理、デスクランブル処理及びエラー訂正処理し、処理結果をヘッダー情報処理部６に出力する。また、ＤＶＤ信号処理部９は、システムコントローラ７から出力されるスピンドル制御用、トラッキング制御用、フォーカス制御用及びスレッド制御用の各種駆動情報をディジタルアナログ変換処理してこれらの駆動信号を生成し、生成した駆動信号をモータ駆動制御部１４に出力する。
【００４５】
アナログフロントエンド部１２は、光学ヘッド１３から光ディスク１に照射するレーザービームについて、光量制御信号を生成して出力する。アナログフロントエンド部１２は、再生時には、この光量制御信号により光学ヘッド１３から光ディスク１に照射するレーザービームの光量を再生用の一定光量に保持するのに対し、記録時には、ＤＶＤ信号処理部９からの出力データに応じてこの光量制御信号の信号レベルを変化させ、これによりこのＤＶＤ信号処理部９からの出力データに応じてレーザービームの光量を再生時の光量から記録の光量に間欠的に立ち上げる。
【００４６】
また、アナログフロントエンド部１２は、光学ヘッド１３から得られる戻り光の受光結果を増幅して演算処理することにより、光ディスク１に形成されたピット列に対応して信号レベルが変化する再生信号を生成し、この再生信号に所定の処理を行い２値識別結果である再生データをＤＶＤ信号処理部９に出力する。また、この演算処理により、トラッキングエラー量及びフォーカスエラー量に応じて信号レベルが変化するトラッキングエラー信号及びフォーカスエラー信号等を生成し、これらの信号をディジタル信号によりシステムコントローラ７に出力する。
【００４７】
光学ヘッド１３は、アナログフロントエンド部１２から出力される光量制御信号により内蔵されている半導体レーザーからレーザービームを出射し、対物レンズを介してこのレーザービームを光ディスク１の情報記録面に集光する。また、このレーザービームの照射により光ディスク１から得られる戻り光をこの対物レンズを介して所定の受光素子に導き、この受光素子の受光結果をアナログフロントエンド部１２に出力する。光学ヘッド１３は、この対物レンズがトラッキング制御用の駆動信号及びフォーカス制御用の駆動信号により駆動されるアクチュエータにより可動するようになされ、これによりトラッキング制御及びフォーカス制御できるようになされている。また、レーザービームの光量が光量制御信号により間欠的に立ち上げられ、これにより光ディスク１の情報記録面を局所的に温度上昇させて所望のデータを記録するようになされている。
【００４８】
モータ駆動制御部１４は、ＤＶＤ信号処理部９から出力される各種駆動信号により、光学ヘッド１３、スピンドルモータ１５及びスレッドモータ１６の駆動を制御する。すなわち、モータ駆動制御部１４は、これらの駆動信号のうち、スピンドル制御用の駆動信号によりスピンドルモータ１５を駆動し、スレッド制御用の駆動信号によりスレッドモータ１６を駆動する。また、トラッキング制御用の駆動信号及びフォーカス制御用の駆動信号により光学ヘッド１３に搭載されているアクチュエータを駆動する。
【００４９】
スピンドルモータ１５は、光ディスク１をチャッキングして所定の回転速度により回転駆動する。スレッドモータ１６は、光学ヘッド１３を光ディスク１の半径方向に可動させる。
【００５０】
モニタ部１７は、映像入力部２から入力されるビデオデータ、オーディオ入力部３から入力されるオーディオデータ、又は圧縮／伸長処理部４から出力されるビデオデータ及びオーディオデータをモニタする表示機構と、音声処理機構とにより構成されている。光ディスク記録／再生装置１００では、モニタ部１７により撮像結果と再生結果をモニタすることができる。
【００５１】
ビデオ／オーディオエンコーダ１８は、映像入力部２及びオーディオ入力部３から入力されるビデオデータ及びオーディオデータ、又は圧縮／伸長処理部４から出力されるビデオデータ及びオーディオデータを所定フォーマットでデータ圧縮して外部機器に出力する。これによりこの光ディスク記録／再生装置１００では、撮像結果と再生結果を外部機器でモニタできるようになされている。
【００５２】
システムコントローラ７は、光ディスク記録／再生装置１００全体の動作を制御するコンピュータからなり、光ディスク記録／再生装置１００に事前にインストールされた処理プログラムを実行することにより、操作部８を介して得られるユーザーの操作入力により、さらには、アナログフロントエンド部１２で検出される各種信号等により、各部の動作を制御する。すなわち、システムコントローラ７は、アナログフロントエンド部１２で検出されるトラッキングエラー信号、フォーカスエラー信号により、トラッキング制御用の駆動情報及びフォーカス制御用の駆動情報を生成し、ＤＶＤ信号処理部９でアナログ信号に変換してモータ駆動制御部１４に出力し、これによりトラッキング制御の処理及びフォーカス制御の処理を実行する。また、ヘッダー情報処理部６で検出されるヘッダー情報等によりレーザービーム照射位置を検出し、この検出結果よりスレッド制御用の駆動情報を生成してＤＶＤ信号処理部９に出力し、これによりシーク等の処理を実行する。また、同様にしてスピンドル制御の処理を実行する。
【００５３】
また、光ディスク記録／再生装置１００は、電源が供給されたときに光ディスク１に関する処理を前提として、図２のフローチャートに示すような処理手順を実行する。なお、以下の処理手順においては、光ディスク１としてＤＶＤ−Ｒを用いている。
【００５４】
システムコントローラ７は、電源が供給されると、ステップＳＴ１からステップＳＴ２に移り、図示しない光ディスク１の検出機構による検出結果より光ディスク１の有無を判断する。ここで光ディスク１が挿入されていない旨の結果が得られると、システムコントローラ７は、ステップＳＴ２を繰り返す。これに対して光ディスク１が装填された状態で電源が立ち上げられた場合、さらには電源を立ち上げた後、光ディスク１が装填されると、ステップＳＴ２で光ディスク１が挿入されている旨の結果が得られることにより、ステップＳＴ２からステップＳＴ３に移る。なお、システムコントローラ７は、このステップＳＴ２の繰り返しにおいて、電源が立ち下げられると、ステップＳＴ４に直接移ってこの処理手順を終了する。
【００５５】
ステップＳＴ３において、システムコントローラ７は、スレッドモータ１６を駆動して光学ヘッド１３を光ディスク１の最内周に移動させ、この最内周側の再生結果をＤＶＤ信号処理部９から取得することにより、ＶＭＧのデータを取得する。これは、ファイナライズ処理されている光ディスク１の場合であったが、光ディスク１が未だファイナライズ処理されていない場合には、ＶＭＧのデータが生成されていないのでＲＭＡの情報を取得する。また、このＲＭＡの情報により、光ディスク１のリアルタイムデータ記録エリアＡ３に既にデータが記録されていると判断される場合には、光ディスク１をサーチして各ＶＴＳのＶＴＳＩ及びＴＭＰ＿ＶＭＧＩのデータを取得する。これによりシステムコントローラ７は、通常のＤＶＤを記録再生する光ディスク装置と同様に、光ディスク１の記録再生に必要な光ディスク１の管理情報を取得するようになされている。
【００５６】
ここで、ＴＭＰ＿ＶＭＧＩについて説明する。ＴＭＰ＿ＶＭＧＩは、１つのＶＴＳの記録が終了した時点でＶＴＳＩとともに記録される仮のＶＭＧＩであり、光ディスク１に記録されたＶＴＳの数やディスクネームの情報及び９９個分のＶＴＳの物理配置やＶＴＳのネームの情報等を含んでいる。このＴＭＰ＿ＶＭＧＩには、ＴＭＰ＿ＶＭＧＩの記録時点で、これまでに記録した全てのＶＴＳに対する最新の情報が含まれている。複数のＶＴＳをＤＶＤ−Ｒに記録した場合、ＴＭＰ＿ＶＭＧＩは各ＶＴＳごとに記録されることになるが、一番外周側にあるＴＭＰ＿ＶＭＧＩが最新のＴＭＰ＿ＶＭＧＩ（生成されたすべてのＶＴＳの情報を含んでいる）となっている。なお、ＴＭＰ＿ＶＭＧＩは、ＤＶＤ−ビデオフォーマットの範囲外のデータである。
【００５７】
この処理において、システムコントローラ７は、ＶＭＧのデータに加えて、ＵＤＦのデータも併せて取得する。また、リアルタイムデータ記録エリアＡ３の再生において、ＴＭＰ＿ＶＭＧＩが記録されている場合には、このＴＭＰ＿ＶＭＧＩも併せて取得する。これによりシステムコントローラ７は、ＤＶＤ−ビデオフォーマットで定義されていない拡張ファイルに関しても光ディスク１より再生可能に、この拡張ファイルの管理情報についても併せて取得するようになされている。システムコントローラ７は、このようにして取得した一連の管理情報を内蔵されているメモリに記録して保持する。
【００５８】
続いてシステムコントローラ７は、ステップＳＴ５に移り、ユーザーにより光ディスク１の排出が指示されたか否かを判断し、ここで肯定結果が得られると、光ディスク１の排出を図示しないローディング機構に指示した後、ステップＳＴ２に戻る。
【００５９】
これに対してユーザーより光ディスク１の排出以外の指示が得られると、ステップＳＴ５からステップＳＴ６に移り、このユーザーによる操作が記録を指示する操作か（ＲＥＣにより示す）、再生を指示する操作か（ＰＢにより示す）、電源の立ち下げを指示する操作か（Ｐｏｗｅｒ  ＯＦＦにより示す）を判断する。ここで、ユーザーによる操作が再生を指示する操作の場合、システムコントローラ７は、ステップＳＴ６からステップＳＴ７に移り、光ディスク１に記録されたファイルを再生する所定の再生処理手順を実行してステップＳＴ５に戻る。
【００６０】
これに対してユーザーによる操作が記録を指示する操作の場合、システムコントローラ７は、ステップＳＴ６からステップＳＴ８に移り、光ディスク１に動画を記録する所定の記録処理手順を実行してステップＳＴ５に戻る。なお、システムコントローラ７は、光ディスク１がデータを記録できないようにファイナライズ処理されてＵＤＦ及びＶＭＧが形成されている場合には、記録処理手順を省略してステップＳＴ５に戻る。
【００６１】
これに対してユーザーによる操作が電源を立ち下げる操作の場合、システムコントローラ７は、ステップＳＴ６からステップＳＴ９に移り、電源立ち下げの処理を実行し、ステップＳＴ４に移ってこの処理手順を終了する。
【００６２】
システムコントローラ７は、このようにして実行される処理手順のうちの記録処理手順において、光ディスク１がＤＶＤ−Ｒの場合、ＩＮＣ方式により動画ファイルを記録する。なお、ＩＮＣ方式は、シーケンシャルに動画を記録する方式であり、リードインよりも内周側に設けられたＲＭＡ(Recording Management Area)により、リザーブ等の光ディスクヘの処理が管理されるようになされている。
【００６３】
ところで、上述したように、ＤＶＤ−ビデオフォーマットでは、光ディスク１に記録できるＶＴＳの数は最大で９９個という制限がある。そのため、１シーン／１ＶＴＳでＤＶＤ−ビデオフォーマットに準拠した記録を行なうと、１枚の光ディスク１には９９シーンまでしか記録できなくなってしまう。例えば、１シーンを５〜６秒で記録したと仮定すると、約８分程度しか一枚のディスクに記録することができなくなってしまう。
【００６４】
なお、ＤＶＤ−ビデオフォーマットでは、１タイトルを９９のシーン（チャプター（ＣＨＰ））に分割できることが規定されているので、例えば、１シーン／１チャプターによりデータの記録を行なうと、光ディスク一枚に９９×９９＝９８０１シーンの記録が可能となる。なお、１チャプターは、所定の再生単位を示している。
【００６５】
また、ＤＶＤ−ビデオフォーマットでは、図１３及び図１５に示したように、ユーザの意思にかかわらず２階層でメニューが作成され、シーン（ＣＨＰ）が複数のＶＴＳメニューに分割されてしまうため、ユーザが所望するシーン（ＣＨＰ）を選択するまでに、まず、メイン・メニューでＶＴＳサムネイルを選択し、ＶＴＳメニューを呼び出し、次に、呼び出したＶＴＳメニューから所望するＣＨＰを選択する必要がある。
【００６６】
そこで、本発明に係る光ディスク記録／再生装置１００では、１シーン／１チャプターによる記録方法を採用し、かつ、シーン（ＣＨＰ）の選択を１ステップで行なうことができるようにデータを記録する。以下に、図３を用いて、１シーン／１チャプターにより動画ファイル及び静止画ファイルを光ディスク１に記録するときのデータ構造を示す。なお、図３は、光ディスク１が何らファイルを記録していない、いわゆるバージンディスクの場合を例にとって、上述したＩＮＣ方式により動画ファイル及び静止画ファイルの記録処理の説明に供する図である。
【００６７】
ＩＮＣ方式においては、一度に書き込むエリアは最大３つまでと定義されており、このエリアをそれぞれＲzoneと呼び、各ＲzoneをＲＭＡで管理する。
【００６８】
図３（Ａ）に示すように、始めにＲzoneをリザーブする。ここで、Ｒzoneのリザーブは、管理情報を記録する領域であるＵＤＦ及びＶＭＧを形成するＲzone１の領域を定義し、続いてリアルタイムデータ記録エリアを形成する未記録領域に、先頭のＶＴＳのＶＴＳＩ（ＣＨＰ情報を含む）を形成するＲzone２の領域を定義し、残る未記録領域をInvisible Ｒzone（Ｒzone３）の領域と定義して実行される。ＩＮＣ方式では、このＲzone１及びＲzone２のリザーブにより、管理情報を記録する領域を確保し、また、先頭のＶＴＳのＶＴＳＩを形成する領域を確保するようになされている。
【００６９】
ＩＮＣ方式においては、Invisible Ｒzoneの先頭側より順次動画を記録することにより、図３（Ｂ）に示すように、実データであるＶＴＳＴＴ＿ＶＯＢＳを形成する。さらにユーザーの指示により、１つのＶＴＳについて実データの記録が完了すると、ＶＴＳＴＴ＿ＶＯＢＳの記録に続いてＶＴＳＩ＿ＢＵＰを記録し、また、図３（Ｃ）に示すように、先頭側に戻ってＲzone２にＶＴＳＩ及びＴＭＰ＿ＶＭＧＩを形成し、Ｒzone２を閉じる。この時点で第１のＶＴＳ♯１が完成する。
【００７０】
また、続けて次のＶＴＳを記録する場合、ＩＮＣ方式においては、図３（Ｄ）に示すように、残りの未記録領域にＲzone３をリザーブしてＶＴＳＩ及びＴＭＰ＿ＶＭＧＩの領域を確保し、Invisible Ｒzoneを定義する。さらに続いて、図３（Ｅ）に示すように、実データの記録によりＶＴＳＴＴ＿ＶＯＢＳを形成した後、ＶＴＳＩ＿ＢＵＰを形成し、図３（Ｆ）に示すように、先に確保した領域にＶＴＳＩ及び最新のＴＭＰ＿ＶＭＧＩを形成する。これにより光ディスクでは、図３（Ｇ）に示すように、ＶＴＳ♯１の次にＶＴＳ♯２が記録される。ＩＮＣ方式においては、引き続きＶＴＳを記録する場合、同様に未記録領域を定義して順次ＶＴＳが記録される。
【００７１】
ところで、上記ＩＮＣ方式でＶＴＳが順次記録され、リアルタイムデータ記録エリアＡ３が形成された光ディスクは、クローズドセッション処理等（以下、ファイナライズ処理という。）によるフォーマット変換を行なわなければ、ＤＶＤ−ビデオフォーマットにのみ対応する再生装置等で再生することができない。ここで、図３（Ｈ）を用いて、ファイナライズ処理について説明する。
【００７２】
例えば、光ディスクは、図３（Ｈ）に示すように、ファイナライズ処理によりＲzone１にＵＤＦ及びＶＭＧが形成され、最内周にリードイン（Lead In）が形成され、最外周にリードアウト（Lead Out）が形成される。このファイナライズ処理により再生専用の光ディスクとの互換性を図ることができる。なお、各ＶＴＳのＶＴＳＩ及びＴＭＰ＿ＶＭＧＩのデータに基づき、ＵＤＦ及びＶＭＧに記録するデータを生成し、このデータをＲzone１に記録してＲzone１を閉じる作業が行われる。
【００７３】
ここで、ファイナライズ処理により記録された図３（Ｈ）における、ＶＭＧのデータ構造を図４に示す。なお図４は、ＶＴＳに含まれているＣＨＰを直接選択することができるメニュー（以下、ダイレクトメニューという。）情報のデータ構造を示している。
【００７４】
ＶＭＧは、ＶＭＧＩ（Video Manager Information）とＶＭＧＭ＿ＶＯＢＳ（Video Object Set for the VMG menu）とにより構成されている。ＶＭＧＩには、メニュー・ページ間およびダイレクトメニューから選択された場合に有効となるＶＴＳ内のＣＨＰへのリンク情報であるＶＭＧＭ＿ＰＧＣＩ（VMG Menu ProgramChain Information）群が記録されている。ＶＭＧＭ＿ＶＯＢＳは、それぞれがダイレクトメニュー画面の各ページに対応した複数のＣＥＬＬから構成されている。また、ＣＥＬＬには、ダイレクトメニュー画面の背景、メニュータイトル、各ＣＨＰの代表画像から作成したサムネイル（以下、ＣＨＰサムネイルという。）、前ページ・ボタン、次ページ・ボタンの画像等がＭＰＥＧ（Motion Picture Experts Group）で記録されている。また、ＣＥＬＬには、ＰＣＩとＤＳＩからなるＮＶ＿ＰＣＫが存在し、ＰＣＩ内にはＨＬＩ（Highlight Information）が存在する。ＨＬＩには、ＣＨＰサムネイル位置、ボタン位置、ハイライト色、４方向ボタンが押された場合のハイライト移動等の情報が記録されている。
【００７５】
また、各ＶＴＳのデータ構造は、図５に示すように、ＶＴＳＩ、ＶＴＳＴＴ＿ＶＯＢＳ及びＶＴＳＩ＿ＢＵＰにより構成されている。なお、本発明では、ＶＴＳにおいて、従来ＶＴＳＩの次に記録されていたＶＴＳＭ＿ＶＯＢＳは記録されない。ＶＴＳＩ内には、ダイレクトメニューで選択された場合に有効となる各ＣＨＰへのリンク情報であるＶＴＳＭ＿ＰＧＣＩ等が記録されている。ＶＴＳＴＴ＿ＶＯＢＳは、実データがチャプター（ＣＨＰ）と呼ばれる所定の再生単位ごとに区切られて記録されている。
【００７６】
このような構造を有するＶＭＧ及びＶＴＳを適切に記録することにより、例えば、図６に示すようなダイレクトメニュー画面が実現できる。メニュー・キーによってメニュー画面を呼び出し、４方向キーでハイライトを移動する。４方向キーの真中の実行キーによって、１のＣＨＰサムネイルを選択し、選択したチャプター（ＣＨＰ）の再生表示やメニュー・ページの切換えを行うことができる。また、次ページボタンを選択すると次のダイレクトメニューに移動し、前ページボタンを選択すると１つ前のダイレクトメニューに移動する。なお、図６では、１つのダイレクトメニューに６つのＣＨＰサムネイルを表示しているが、これ以外でも良い。
【００７７】
また、図７に示すように、ＶＴＳ♯１〜ＶＴＳ♯３が記録されており、ＶＴＳ♯１にＣＨＰ１〜ＣＨＰ９０が記録されており、ＶＴＳ♯２にＣＨＰ１〜ＣＨＰ６０が記録されており、ＶＴＳ♯３にＣＨＰ１〜ＣＨＰ３０が記録されている場合（チャプターの数は１８０個）、ダイレクトメニューは、例えば、各ＶＴＳに記録されているチャプター（ＣＨＰ）を連続番号（ＣＨＰ１〜ＣＨＰ１８０）で表示することができる。ユーザは、上記連続番号から所望のチャプター（ＣＨＰ）を選択することができる。例えば、ユーザが、ダイレクトメニューにおいて、ＣＨＰ１００を選択した場合には、自動的にＶＴＳ♯２内のＣＨＰ１０が選択される（ＶＴＳ♯１のチャプター（ＣＨＰ）が９０個あるので、ＶＴＳ♯２の１０個目のチャプターがＣＨＰ１００として選択される）。したがって、ユーザは、従来のように２つのメニュー（メイン・メニュー及びＶＴＳメニュー）により所望のチャプター（ＣＨＰ）を選択する必要がなく、ダイレクトメニューにより直接所望のチャプター（ＣＨＰ）を選択することができる。
【００７８】
また、システムコントローラ７は、光ディスク１がＤＶＤ−ＲＷの場合には、ＲＯＷ方式により動画ファイルを記録する。以下に図８を用いてシステムコントローラ７の動作について説明する。なお、ＲＯＷ方式は、ＩＮＣ方式と同様に、シーケンシャルに動画を記録する方式であり、リードインよりも内周側に設けられたＲＭＡにより、リザーブ等の光ディスクヘの処理が管理されるようになされている。
【００７９】
図８（Ａ）に示すように、リードイン、ＵＤＦ、ＴＭＰ＿ＶＭＧＩ、ＶＭＧ及び先頭ＶＴＳのＶＴＳＩの記録領域をパディング（Padding）により事前に確保する。ここでパディングとは、ＮＵＬＬ等のダミーデータを記録して領域を確保する処理のことである。
【００８０】
このようにしてこれらの領域を確保すると、ＲＯＷ方式においては、図８（Ｂ）に示すように、順次画像を記録することにより、実データによるＶＴＳＴＴ＿ＶＯＢＳが形成され、１つのＶＴＳについて実データの記録が完了すると、続いてＶＴＳＩ＿ＢＵＰが記録される。そして、次のＶＴＳのＶＴＳＩの記録領域の確保のために、パディングの処理が実行される。また、先頭側に戻って、図８（Ｃ）に示すように、この実データの記録に対応するＶＴＳＩが形成される。この時点で、第１のＶＴＳ♯１が完成する。
【００８１】
また、続けて第２のＶＴＳ♯２を記録する場合、ＲＯＷ方式においては、図８（Ｄ）に示すように、直前のＶＴＳにより形成したパディングの領域に続いて、実データが記録されることによりＶＴＳＴＴ＿ＶＯＢＳ及びＶＴＳＩ＿ＢＵＰが形成され、次のＶＴＳのＶＴＳＩの記録領域の確保のために、パディングの処理が実行される。また、続いて、図８（Ｅ）に示すように、ＶＴＳＩが形成され、これにより、図８（Ｆ）に示すように、第２のＶＴＳ♯２が光ディスクに記録される。ＲＯＷ方式においては、引き続きＶＴＳを記録する場合、同様にパディング等の処理が実行されて順次ＶＴＳが記録される。
【００８２】
ところで、上記ＲＯＷ方式でＶＴＳが順次記録され、リアルタイムデータ記録エリアが形成された光ディスクは、ＩＮＣ方式と同様にファイナライズ処理等によるフォーマット変換を行なわなければ、ＤＶＤ−ビデオフォーマットにのみ対応する再生装置等で再生することができない。ここで、図８（Ｇ）を用いて、ファイナライズ処理について説明する。
【００８３】
例えば、光ディスクは、図８（Ｇ）に示すように、ファイナライズ処理によりパディングした領域にＵＤＦ及びＶＭＧが形成され、最内周にリードイン（LeadIn）が形成され、最外周にリードアウト（Lead Out）が形成される。このファイナライズ処理により再生専用の光ディスクとの互換性を図ることができる。なお、ファイナライズ処理により記録された図８（Ｇ）における、ＶＭＧのデータ構造は、図４に示したものと同様であり、また、ＶＴＳのデータ構造についても上述と同様であるので、ユーザは、従来のように２つのメニュー（メイン・メニュー及びＶＴＳメニュー）により所望のチャプター（ＣＨＰ）を選択する必要がなく、ダイレクトメニューにより直接所望のチャプター（ＣＨＰ）を選択することができる。
【００８４】
また、ＶＴＳは、チャプター（ＣＨＰ）の数が９９個に達するか、又は、データの記録後に電源をオフにしたときに閉じる必要がある。通常の光ディスク記録／再生装置では、データを記録する際、実データは、光ディスクに記録していくが、ＶＴＳＩ＿ＢＵＰは、ＲＡＭに記憶する。ＲＡＭは、揮発性メモリであるため電源がオフにすると記憶内容を消失してしまうので、電源がオフする直前に、光ディスクにＶＴＳＩ＿ＢＵＰを記録する必要がある。このときにＶＴＳを閉じる処理を行なう。したがって、１シーン／１チャプターでの記録方法を採用しても、データの記録後に電源をオフにする動作を９９回繰り返すとＶＴＳが９９個記録されてしまい、１枚の光ディスクに記録できるデータ量が少なくなってしまう。
【００８５】
そこで、本発明に係る光ディスク記録／再生装置１００では、ＲＡＭ１０に記憶されているＶＴＳＩ＿ＢＵＰのバックアップをするために、不揮発性のメモリであるフラッシュメモリ１１を備える。したがって、光ディスク記録／再生装置１００は、電源がオフにされてもフラッシュメモリ１１にＶＴＳＩ＿ＢＵＰを記憶しているので、ＶＴＳＩ＿ＢＵＰを消失することがないため、電源をオフするたびにＶＴＳを閉じなくてよく、ＶＴＳの消費を抑えることができる。
【００８６】
また、光ディスク記録／再生装置１００は、光ディスク１にチャプター（ＣＨＰ）を記録するごとにサムネイル画像を生成し、生成したサムネイル画像をフラッシュメモリ１１に記憶しても良い。
【００８７】
ファイナライズ処理において、ＶＭＧを生成するときに、上述したダイレクトメニューを作成する。ダイレクトメニューを作成するときに、全てのチャプター（ＣＨＰ）のサムネイル画像を生成する必要がある。従来の光ディスク記録／再生装置では、光ディスク１に記録してあるチャプター（ＣＨＰ）を読み出し、サムネイル画像を生成するので、チャプター（ＣＨＰ）の数が多いほど多大な時間が必要となっていた。したがって、光ディスク１にチャプター（ＣＨＰ）を記録するごとに、対応するサムネイル画像を生成し、フラッシュメモリ１１に記憶しておけば、ファイナライズ処理のときにこのサムネイル画像を利用することができ、ファイナライズ処理を高速に行なうことができる。
【００８８】
このように構成された光ディスク記録／再生装置１００は、不揮発性のフラッシュメモリ１１を備え、ＤＶＤ−ビデオフォーマットにしたがって、１シーン／１チャプターによるデータ記録を採用するので、従来のように２つのメニュー（メイン・メニュー及びＶＴＳメニュー）によりチャプター（ＣＨＰ）を選択する必要がなく、ダイレクトメニューにより直接チャプター（ＣＨＰ）を選択することができる。また、光ディスク記録／再生装置１００は、電源がオフにされてもフラッシュメモリ１１にＶＴＳＩ＿ＢＵＰを記憶しているので、ＶＴＳＩ＿ＢＵＰを消失することがないため、電源をオフするたびにＶＴＳを閉じなくてよく、ＶＴＳの消費を抑えることができ、また、チャプター（ＣＨＰ）を光ディスク１に記録するときにサムネイル画像を生成し、フラッシュメモリ１１に記憶しておき、ファイナライズ処理の際にフラッシュメモリ１１に記憶してあるサムネイル画像を利用するので、ファイナライズ処理を高速に行なうことができる。
【００８９】
なお、本発明の実施の形態は、上述例に限らず、光ディスク１としてＤＶＤ−ＲＡＭを用いても良い。また、本発明の実施の形態として当該光ディスク記録／再生装置１００を携帯型のカメラ一体型ビデオレコーダ（ＤＣ機器）としたが、ＡＣ機器でも良い。
【００９０】
【発明の効果】
以上詳細に説明したように、本発明に係る光ディスク記録装置は、ＤＶＤ−ビデオフォーマットにしたがって、１シーン／１チャプターによるデータ記録を採用するので、従来のように２つのメニュー（メイン・メニュー及びＶＴＳメニュー）によりチャプター（ＣＨＰ）を選択する必要がなく、ダイレクトメニューにより直接チャプター（ＣＨＰ）を選択することができる。
【００９１】
また、本発明に係る光ディスク記録装置は、不揮発性メモリを備えており、当該不揮発性メモリにＶＴＳＩ＿ＢＵＰを記憶するので、電源がオフにされてもＶＴＳＩ＿ＢＵＰを消失することがないため、電源をオフするたびにＶＴＳを閉じる処理を行なう必要が無く、ＶＴＳの消費を抑えることができ、また、チャプター（ＣＨＰ）を光ディスクに記録するときにサムネイル画像を生成し、生成したサムネイル画像を当該不揮発性メモリに記憶しておき、ファイナライズ処理の際に当該不揮発性メモリに記憶してあるサムネイル画像を利用するので、ファイナライズ処理を高速に行なうことができる。
【図面の簡単な説明】
【図１】本発明を適用した光ディスク記録／再生装置の構成を示すブロック図である。
【図２】上記光ディスク記録／再生装置において電源の立ち上げ時に実行される処理の手順を示すフローチャートである。
【図３】上記光ディスク記録／再生装置におけるＩＮＣ方式による動画ファイルの記録処理の説明に供する図である。
【図４】ＶＭＧのデータ構造を示す模式図である。
【図５】ＶＴＳのデータ構造を示す模式図である。
【図６】ダイレクトメニュー画面の表示例を示す図である。
【図７】ＶＴＳのデータ構造の具体例を示す模式図である。
【図８】上記光ディスク記録／再生装置におけるＲＯＷ方式による動画ファイルの記録処理の説明に供する図である。
【図９】ＤＶＤ−ビデオフォーマットの説明に供する図である。
【図１０】ＩＮＣ方式による記録の説明に供する図である。
【図１１】ＲＯＷ方式による記録の説明に供する図である。
【図１２】ＶＭＧのデータ構造を示す模式図である。
【図１３】メイン・メニュー画面の表示例を示す図である。
【図１４】ＶＴＳのデータ構造を示す模式図である。
【図１５】ＶＴＳメニュー画面の表示例を示す図である。
【符号の説明】
１  光ディスク、２  映像入力部、３  オーディオ入力部、４  圧縮／伸長処理部、４ａ  ビデオ処理部、４ｂ  オーディオ処理部、４ｃ  多重化処理部、５，１０  ＲＡＭ、６  ヘッダー情報処理部、７  システムコントローラ、８  操作部、９  ＤＶＤ信号処理部、１１  フラッシュメモリ、１２  アナログフロントエンド部、１３  光学ヘッド、１４  モータ駆動制御部、１５  スピンドルモータ、１６  スレッドモータ、１７  モニタ部、１８  ビデオ／オーディオエンコーダ、１００  光ディスク記録／再生装置
【図１】
2004213706.tif 000003
【図２】
2004213706.tif 000004
【図３】
2004213706.tif 000005
【図４】
2004213706.tif 000006
【図５】
2004213706.tif 000007
【図６】
2004213706.tif 000008
【図７】
2004213706.tif 000009
【図８】
2004213706.tif 000010
【図９】
2004213706.tif 000011
【図１０】
2004213706.tif 000012
【図１１】
2004213706.tif 000013
【図１２】
2004213706.tif 000014
【図１３】
2004213706.tif 000015
【図１４】
2004213706.tif 000016
【図１５】
2004213706.tif 000017